(57)【要約】【課題】  洗面器類を載置するためのカウンターと窓との間の壁を高くすることなく、即ち窓を低い位置に設けることができながら、この壁に設ける鏡で入浴者の顔の全体を映すことができるようにする。【解決手段】  洗面器類を載置するためのカウンター１を備え、このカウンター１の上方に窓２を設けている浴室であって、上記のカウンター１と窓２との間の壁４に、鏡５を浴室内に鏡面の全体を向けて上向き傾斜状に設ける。この場合本発明は、鏡５を取り付け部材８を介して設け、鏡５の下側に、突き出し寸法の短い棚１０を備えて形成するのが好ましい。【選択図】      図１
2006187454.tif 000002
【特許請求の範囲】
【請求項１】
洗面器類を載置するためのカウンターを備え、このカウンターの上方に窓が設けられている浴室であって、上記のカウンターと窓との間の壁に、鏡が浴室内に鏡面の全体が向けられて上向き傾斜状に設けられていることを特徴とする鏡付き浴室。
【請求項２】
請求項１記載の鏡付き浴室であって、鏡が取り付け部材を介して設けられ、鏡の下側に、突き出し寸法の短い棚を備えて形成されていることを特徴とする鏡付き浴室。
【請求項３】
請求項１記載の鏡付き浴室であって、鏡が取り付け部材を介して設けられ、鏡の下側に、棚が、鏡の左右側に突き出されて形成されていることを特徴とする鏡付き浴室。
【請求項４】
請求項１記載の鏡付き浴室であって、鏡が取り付け部材を介して設けられ、この取り付け部材の下部に、物品収納用のラックを引っ掛けるための引っ掛け部が形成されていることを特徴とする鏡付き浴室。
【請求項５】
請求項２乃至４の何れかに記載の鏡付き浴室であって、鏡の上部が、横軸を介して取り付け部材に枢着され、鏡面の傾斜角度が調節自在に形成されていることを特徴とする鏡付き浴室。
【発明の詳細な説明】
【技術分野】
【０００１】
本発明は、浴室に関し、更に詳しくは洗面器や手桶等の洗面器類を載置するためのカウンターと、その上方の窓との間の壁に、鏡を設けた鏡付き浴室に関するものである。
【背景技術】
【０００２】
従来、洗い場にカウンターを設けた浴室としては、例えばカウンターの上方の壁面に鏡を設け、この鏡の下側の一部を、上向きに傾斜しているものがある（例えば特許文献１参照）。
また従来、鏡を有する浴室としては、本出願人の提案に係る特許文献２に記載の発明がある。この従来の浴室は、洗面器類を載置するためのカウンターを備え、このカウンターの上方に窓を設け、この窓の窓ガラスを鏡に形成しているものである。
【０００３】
ところで浴室の窓は、浴槽に浸かった姿勢で屋外を見ることができるよう、また広がり感や開放感が得られ易くなるよう、洗い場から例えば８０（ｃｍ）程度の比較的低い位置に設けられる場合が多い。従って洗面器類を載置するためのカウンターを備えた浴室は、カウンターと窓との間の壁を高くすると、その分、窓が高くなるのを避けられないため、この壁の高さを低く抑えて施工するのが通例である。それ故従来、この種のカウンターを備えた浴室の場合は、カウンターと窓との間の壁に鏡を取り付けても、顔が鏡に正対しなくなり、顔の全体を映すことができない、という問題があった。
そこでこの種のカウンターを備えた浴室は、従来、特許文献１に記載されているように、カウンターの上方は天井まで壁に形成し、この壁に鏡を取り付けるのが通例であった。またカウンターの上方に窓を設ける場合は、特許文献２の従来例のように、窓ガラスを鏡に形成し、これによって、窓を低い位置に設けることと、顔の全体を鏡に映すことが可能になるよう形成していた。
而して特許文献１に記載の従来例は、カウンターの上方が天井まで壁のため、これによるとカウンターの上方に広がり感や開放感を得られず、また特許文献２に記載の従来例の場合は、窓を開けると鏡が移動し、鏡を利用できない、という問題があった。従って従来、カウンターの上方を窓に形成しても、窓の開閉に関係なく、しかも顔の全体を鏡に映して快適に入浴できることが望まれていた。
【特許文献１】特開平７−７９８４６号公報
【特許文献２】特開平１１−２２９６４０号公報
【発明の開示】
【発明が解決しようとする課題】
【０００４】
本発明は、このような従来技術の問題点に鑑み、提案されたものである。
従って本発明の解決しようとする技術的課題は、洗面器類を載置するためのカウンターと窓との間の壁を高くすることなく、即ち窓を低い位置に設けることができながら、この壁に設ける鏡で入浴者の顔の全体を映すことができるよう形成した鏡付き浴室を提供することにある。
【課題を解決するための手段】
【０００５】
本発明は、上記の課題を解決するため、次のような技術的手段を採る。
即ち本発明は、図１等に示されるように、洗面器類を載置するためのカウンター１を備え、このカウンター１の上方に窓２が設けられている浴室であって、上記のカウンター１と窓２との間の壁４に、鏡５が浴室内に鏡面の全体が向けられて上向き傾斜状に設けられていることを特徴とする（請求項１）。
【０００６】
本発明の場合、鏡５の形状は、通常、横長の長方形状に形成されるが、これに限定されるものではない。鏡５の取り付けは、鏡５を取り付ける壁４の箇所を上向き傾斜状に形成したり、或いは金属製やプラスチック製等の上向き傾斜状の取り付け部材８を使用することにより実現される。
【０００７】
而して本発明は、鏡５が取り付け部材８を介して設けられ、鏡５の下側に、突き出し寸法の短い棚１０を備えて形成されているのが好ましい（請求項２）。
なぜならこれによると、鏡５の大きさ、傾斜角度を取り付け部材８によって適宜変更でき、棚１０によって鏡５回りにシャンプー容器等の収納箇所を確保でき、使い勝手が良くなるからである。ここで、突き出し寸法の短い棚１０とは、洗面器類を載置するためのカウンター１の使用を妨げない範囲（長さ）で突き出されている、ということを意味する。棚１０は、取り付け部材８と例えば一体又は別体に形成される。別体に形成する場合は、取り付け部材８や壁４にネジ等で取り付けたり、壁４に一体成型することで実現される。
【０００８】
また本発明の場合は、鏡５が取り付け部材８を介して設けられ、鏡５の下側に、棚１０が、鏡５の左右側に突き出されて形成されているのが好ましい（請求項３）。
なぜならこれによると、シャンプー容器等の物品１１を鏡５の側部に配置できるため、棚１０に置いた物品１１で鏡５が隠されることを防止できるからである。またこれによると、鏡５に例えばシャワーを浴びせて汚れを洗い流す際、鏡５を伝わり落ちる水でシャンプー容器等が流されて落下することを防止できるからである。
【０００９】
また請求項１記載の本発明の場合は、図６等に示されるように、鏡５が取り付け部材８を介して設けられ、この取り付け部材８の下部に、物品収納用のラック１２を引っ掛けるための引っ掛け部１３が形成されているのが好ましい（請求項４）。
なぜならこれによると、洗い場３の側に突き出されている鏡５の下側を、物品１１の収納箇所として利用でき、使い勝手が良くなるからである。引っ掛け部１３は、具体的には取り付け部材８の下部の前側を軒樋状に形成し、前側の上縁１３ａを介してラック１２のフック１２ａを引っ掛け可能に形成したり、或いは取り付け部材８の下部に、ラック１２のフック１２ａを引っ掛けるためのバーを適宜の長さ、横に架け渡すことで実現される。
【００１０】
また請求項２乃至４の何れかに記載の本発明は、鏡５の上部が、横軸１４を介して取り付け部材８に枢着され、鏡面の傾斜角度が調節自在に形成されているのが好ましい（請求項５）。
本発明は、鏡５を所望の角度に固定した状態で形成されるのでも良いが、この本発明のように傾斜角度を調節できる場合は、入浴者が自分の顔の位置に合わせて、最適な角度に鏡５を配置でき、使い勝手が一層良くなるからである。
【発明の効果】
【００１１】
本発明は、このように洗面器類を載置するためのカウンターと窓との間の壁に、鏡を浴室内に鏡面の全体を向けて上向き傾斜状に設けているものである。
従って本発明によれば、カウンターの上方の低い位置に窓を設けることができ、しかもカウンターの前に座る入浴者の顔の全体を鏡に映すことができる。
【発明を実施するための最良の形態】
【００１２】
以下、本発明を実施するための最良の形態を説明する。
本発明は、図１等に示されるように、洗面器類を載置するためのカウンター１を備え、このカウンター１の上方の窓２と洗い場３との間の壁４に鏡５が設けられている。カウンター１の前側の下部は、凹まれ、膝を配置したり、物品１１を収納するための凹部６に形成されている。なおこの実施形態に係る本発明は、カウンター１の左右方向と浴槽７の短手方向とが合わされ、窓２はアルミサッシで形成され、引き違い戸２ａ、２ａが洗い場３と浴槽７に対応して設けられている。
【００１３】
上記の鏡５は、浴室内に鏡面の全体が向けられて上向き傾斜状に設けられている。鏡５は、横長の長方形状に形成され、この実施形態では取り付け部材８を介して所望の角度に設けられている。取り付け部材８は、例えばステンレス等の金属板が縦断面ほぼ直角三角形の枠状に曲げ加工され、背面側が開口されると共に、背面側の上部にネジ止め用の垂直片８ａが垂下状に形成され、鏡５の嵌め込み溝８ｂを周辺部に備えて形成されている。またこの取り付け部材８は、体裁が良くなるよう、両側面が樹脂部材で閉塞状に形成されている。なお９は、取り付け用のネジである。
【００１４】
またこの実施形態に係る本発明は、鏡５の下側に、突き出し寸法の短い棚１０を備えて形成されている。この棚１０は、この実施形態では壁４と一体成型されることにより形成されている。また棚１０は、鏡５の左右側に突き出され、シャンプー容器等の物品１１を、鏡５の左右側に配置可能に形成されている。
【００１５】
本発明は、鏡５が上向き傾斜しているため、入浴者がカウンター１の前に椅子を利用して座ると、鏡５に顔の全体を映し出すことができる。また心理的に映したくない股間が映ることを防止できる。また入浴者が、鏡５の曇りや汚れを洗うため、シャワーノズルを利用して鏡５をシャワーしても、上例の本発明ではシャンプー容器等の物品１１が鏡５の左右の側に配置されているため、これによると鏡５を伝わり落ちる水で物品１１を流して落下させることがない。また本発明は、このように物品１１を鏡５の左右の側に配置できるから、鏡５の前側が物品１１で塞がれることがなく、鏡５を広く、即ちその全面を使用できる。
【００１６】
以上の処において、本発明は、図６、図７に示されるように、鏡５が取り付け部材８を介して設けられ、この取り付け部材８の下部に、物品収納用のラック１２を引っ掛けるための引っ掛け部１３が形成されているのでも良い。引っ掛け部１３は、この実施形態では取り付け部材８の下部の前側が軒樋状に形成されている。そしてこの引っ掛け部１３の前側の上縁１３ａを介してラック１２のフック１２ａが、取り付け部材８の下部に引っ掛けられている。ラック１２は、軽量化できるよう、例えば鋼線が縦横に格子状に配置されてボトル収納型に形成され、フック１２ａは背面部に形成されている。この本発明の場合は、鏡５の突き出し距離だけ、ラック１２が傾いて引っ掛けられるため、背の高い物品１１であっても、鏡５の使用を妨げることがない。またこれによると、必要に応じてラック１２を取り外して手元で使用できるため、使い勝手が良くなるものである。
【００１７】
また本発明は、図８、図９に示されるように、鏡５の上部が、横軸１４を介して取り付け部材８に枢着され、鏡面の傾斜角度が調節自在に形成されているのでも良い。この実施形態の場合、取り付け部材８は、左右一対状の枢着部８ｃを水平に備えて形成され、壁４にネジ９で固定されている。鏡５は、額縁状の枠部１５に取り付けられてこの枠部１５により周辺部と背面部が保護されている。そして枠部１５の上辺部１５ａが、枢着部８ｃに横軸１４を介して枢着されている。この場合、上辺部１５ａは、枢着部８ｃに、鏡５が自重で傾斜位置から降下することがないよう、換言すると設定した傾斜角度を確実に保持可能になるよう、横軸１４を介して適度の強さで緊締状に枢着されている。この本発明によると、カウンター１の前に座った入浴者が自分の顔の位置に合わせて、鏡５を前後方向に移動させ、最適な角度に鏡５を傾けて使用できる。
【図面の簡単な説明】
【００１８】
【図１】本発明の浴室の好適な一実施形態を示す要部側面図である。
【図２】同上浴室の要部正面図である。
【図３】同上浴室の要部正面図である。
【図４】図３のＩＶ−ＩＶ線における要部断面図である。
【図５】同上浴室の要部平面図である。
【図６】同上浴室の他の実施形態を示す要部正面図である。
【図７】図６のＶＩＩ−ＶＩＩ線における要部断面図である。
【図８】同上浴室の更に他の実施形態を示す要部正面図である。
【図９】図８のＩＸ−ＩＸ線における要部断面図である。
【符号の説明】
【００１９】
１    洗面器類を載置するためのカウンター
２    窓
３    洗い場
４    壁
５    鏡
【図１】
2006187454.tif 000003
【図２】
2006187454.tif 000004
【図３】
2006187454.tif 000005
【図４】
2006187454.tif 000006
【図５】
2006187454.tif 000007
【図６】
2006187454.tif 000008
【図７】
2006187454.tif 000009
【図８】
2006187454.tif 000010
【図９】
2006187454.tif 000011